(57)【特許請求の範囲】
【請求項１】
鍋を支持するトッププレートと、前記トッププレートの下方に設けられる加熱コイルと、共振コンデンサ及び基板に実装されたスイッチング回路を有し前記加熱コイルを駆動するインバータ回路と、前記加熱コイル及び前記インバータ回路に送風する冷却手段と、これらを前記トッププレートとで覆う金属製の外郭体を備え、前記スイッチング回路は前記加熱コイルの下方に配置され、前記共振コンデンサは、前記共振コンデンサから生じる電磁界を遮蔽すべく前記外郭体の底部近傍であって前記スイッチング回路を冷却する金属製の冷却フィンの下方に配設される構成とした誘導加熱装置。
【請求項２】
インバータ回路は電源回路を構成する電源部コイルを備えアルミ及び銅系材料の鍋を加熱するとともに、前記電源部コイルは共振コンデンサを配設する基板と切り離して外郭体の底部近傍の基台に配設される構成とした請求項１に記載の誘導加熱装置。
【発明の詳細な説明】
【０００１】
【発明の属する技術分野】
本発明は、誘導加熱装置を駆動するインバータ回路の実装に関し、特に鉄及びステンレス系材料の鍋に加え、アルミ及び銅系材料の鍋の加熱にも適応する誘導加熱装置の駆動回路を構成する例えばインバータ回路の共振コンデンサ及びインバータ回路の電源部コイルを実装する構成に関する。
【０００２】
【従来の技術】
図５は、従来のこの種インバータ回路を備えた誘導加熱装置の実装を示す模式図である。
【０００３】
図５において、鉄及びステンレス系材料の鍋４は加熱コイル５を駆動するインバータ回路（スイッチング回路を含む）７−ａないし８−ｂの駆動により発生する高周波磁界の作用により加熱できるように構成されていた。このとき、インバータ回路は発熱を伴うため、冷却手段１２により送風して冷やす構成であった。
【０００４】
【発明が解決しようとする課題】
しかしながら、この様な従来の構成では、鉄及びステンレス系材料の鍋に加え、アルミ及び銅系材料の鍋をも高効率で加熱する誘導加熱装置では、これらの駆動回路を実装することが困難であった。
【０００５】
特に、鉄及びステンレス系材料の鍋を加熱するインバータ回路と、アルミ及び銅系材料の鍋を加熱するインバータ回路を配設するに当たって、アルミ及び銅系材料の鍋を加熱するインバータ回路は従来の鉄及びステンレス系材料の鍋を加熱するインバータ回路に較べ高電圧回路になるため強い電磁界によって生じるノイズの遮蔽が求められる。
【０００６】
しかしながら、限られた空間内に、電磁界によるノイズを遮蔽するための導体等の新たな部材を追加すると、冷却風の流れを妨げ冷却効果を損なうとともに、コスト面で有利な構成を実現することができなかった。
【０００７】
本発明は、前記の課題を解決するもので、アルミ及び銅系材料の鍋を加熱するインバータ回路の共振コンデンサやインバータ回路の電源部コイルを外郭体の底部近傍に配設することによって、外郭体によってノイズを遮蔽し安全性に優れるとともに、部品点数の増大をもたらすことなく安価に実装することを目的とする。
【０００８】
【課題を解決するための手段】
前記従来の課題を解決するために、本発明の誘導加熱装置は、インバータ回路を構成する共振コンデンサを、前記金属製の外郭体の底部近傍であって前記スイッチング回路を冷却する金属製の冷却フィンの下方に配設する構成とした。これによって、共振コンデンサから生じる強い電磁界によるノイズを近傍に位置することになる金属製の外郭体と金属製の冷却フィンとで遮蔽することができる。
【０００９】
【発明の実施の形態】
請求項１に記載の発明は、鍋を支持するトッププレートと、前記トッププレートの下方に設けられる加熱コイルと、前記加熱コイルを駆動し前記加熱コイルの下方に配置されるインバータ回路と、前記加熱コイル及び前記インバータ回路に送風する冷却手段と、これらを前記トッププレートとで覆う金属製の外郭体を備え、前記インバータ回路の共振コンデンサは、前記共振コンデンサから生じる電磁界を遮蔽すべく前記外郭体の底部近傍であって前記スイッチング回路を冷却する金属製の冷却フィンの下方に配設される構成とした。
【００１０】
インバータ回路を構成する共振コンデンサを、外郭体の底部近傍に配設する構成としたことにより、共振コンデンサ近傍に生じる強い電磁界によるノイズを金属製の外郭体で遮蔽することができるので、ノイズを遮蔽するための別部材を新たに設ける必要がない。
【００１４】
また、インバータを構成する金属製放熱フィンである冷却フィンを備えたスイッチング回路を加熱コイルの下方に配置しかつ共振コンデンサを冷却フィンの下方に配設して、インバータ回路の共振コンデンサから離し、加熱コイルの近傍に配設する構成としたことにより、鍋からの伝導熱で温度上昇する加熱コイル及び自己発熱によって温度上昇するスイッチング回路は互いに近接させまとめて配設し、冷却風を集中させて冷却効率を高めるとともに、金属製の冷却フィンによりインバータ回路の共振コンデンサによる電磁界によるノイズを遮蔽することができる。
【００１７】
請求項２に記載の発明は、インバータは電源回路を構成する電源部コイルを備えアルミ及び銅系材料の鍋を加熱するとともに、前記電源部コイルは共振コンデンサを配設する基板と切り離して外郭体の底部近傍の基台に配設される構成とした。
【００１８】
これにより、インバータ回路を構成する電源部コイルの近傍に生じる強い電磁界によるノイズを遮蔽することができるとともに、比較的質量の重い電源部コイルと比較的質量の軽い共振コンデンサを切り離して外郭体に取り付けることができるので、機械的に強固に取り付けができ、周辺に機械的衝撃等を及ぼさないように実装することができる。
【００１９】
【実施例】
以下、本発明の実施例について、図面を参照して説明する。なお、実施例と従来例との外観構成は同じであり、異なる点は誘導加熱装置を駆動するインバータ回路の実装構成に関する点である。したがって、説明にあたっては従来例と異なるインバータ回路の実装構成に関して主に説明する。また、従来例と同一構成には同一符号を付し説明を省略する。
【００２０】
（実施例１）
図１は、本発明における誘導加熱装置の外観図である。また、図２は本発明の第１の実施例における誘導加熱装置のインバータ実装の模式図である。図１及び図２において、１は誘導加熱装置の外観であって、トッププレート２と外郭体３で覆っている。４は鉄及びステンレス系材料若しくはアルミ及び銅系材料から成る鍋であり、トッププレート２に支持される。５は加熱コイルであり、高周波磁界の発生により鍋４を加熱する。７、８はスイッチング回路であり基板６に実装されている。９は共振コンデンサ１０や電源部コイル１１を備えたインバータ回路である。１２は冷却手段であり、主に発熱を伴う加熱コイル５やスイッチング回路７、８に送風し冷却する。３は金属製の外郭体であり、トッププレート２とともに充電部を覆う。このとき、共振コンデンサ１０や電源部コイル１１はスイッチング回路７、８から離し、金属製の外郭体３の近傍に配設されている。
【００２１】
この構成により、インバータ回路を構成し強い電磁界を生じる共振コンデンサ１０が金属製の外郭体３の近傍に位置するため、新しく部品を追加することなく電磁界によるノイズを遮蔽することが可能であり、コストメリットを確保しかつノイズ遮蔽性能の優れた実装を提供することができる。
【００２２】
（実施例２）
図３は、本発明の第２の実施例における誘導加熱装置のインバータ回路実装の模式図である。実施例１と同構成箇所については、省略し、相違点を述べる。
【００２３】
図３において、７、８はスイッチング回路であり、インバータ回路の共振コンデンサ１０やインバータ回路の電源部コイル１１から離れ、加熱コイル５の近傍に配設されている。１３、１４は金属製の冷却用放熱フィンであり、冷却手段１２により放熱し、スイッチング回路７、８等を冷却する。
【００２４】
この構成により、インバータ回路の共振コンデンサ１０やインバータ回路の電源部コイル１１から生じる強い電磁界によるノイズを金属製の冷却用放熱フィン１３、１４で遮蔽することができ、新たにノイズ遮蔽用部材を追加することなく、ノイズ遮蔽性能の優れた実装を提供することができる。
【００２５】
（実施例３）
図４は、本発明の第３の実施例における誘導加熱装置の実装の模式図である。なお実施例５の基本構成は実施例１〜２と同様であるので省略し相違点を中心に説明する。
【００２６】
図４において、インバータ回路の電源部コイル１１は、インバータ回路の共振コンデンサ１０と切り離されて基台１５に配設されている。
【００２７】
この構成により、比較的質量の重い電源部コイルと共振コンデンサの比較的質量の軽いものを切り離して外郭体に取り付け固定ができるため、外郭体が強い衝撃を受け、質量の重い電源コイルに大きな重力が生じて周辺の基板等にも作用が及ぶ恐れがある場合でも、衝撃は伝わらず、基板等にクラックが生じ、基板の箔切れを招く心配はない。
【００２８】
【発明の効果】
以上のように、本発明によれば、アルミ及び銅系材料の鍋を加熱するインバータ回路の実装にあたって、上記本願のように構成することにより、インバータ回路の共振コンデンサやインバータ回路の電源部コイル近傍に生じる強い電磁界を金属製の外郭体や金属製の放熱フィンで遮蔽することができるので、新たな部材の追加を招くことがなくコストメリットを確保でき、また、比較的質量の重い電源部コイルを外郭体の底部に取り付けて強固に保持でき、極めて有用である。
【図面の簡単な説明】
【図１】本発明の第１〜第３の実施例における誘導加熱装置の外観図
【図２】本発明の第１の実施例における誘導加熱装置の実装模式図
【図３】本発明の第２の実施例における誘導加熱装置の実装模式図
【図４】本発明の第３の実施例における誘導加熱装置の実装模式図
【図５】従来の誘導加熱装置の実装模式図
【符号の説明】
１  誘導加熱装置
２  トッププレート
３  外郭体
４  鍋
５  加熱コイル
６  基板
７−ａ  、８−ｂ  インバータ回路
７、８  スイッチング回路
９  インバータ回路
１０  共振コンデンサ
１１  電源部コイル
１２  冷却手段
１３、１４  放熱フィン
１５  基台
【図１】
0003894015.tif 000002
【図２】
0003894015.tif 000003
【図３】
0003894015.tif 000004
【図４】
0003894015.tif 000005
【図５】
0003894015.tif 000006